【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
光を出射する少なくとも１つの光源と、
前記光源から出射された光を拡散して反射する拡散板と、
前記光源と前記拡散板との間に設けられ、光を通過させる透過領域と光を反射する前記透過領域以外の反射領域とを有する部分透過部材と、
を備える、光源装置。
【請求項２】
前記部分透過部材の前記透過領域は、前記光源から出射された光が入射する位置に形成される、請求項１に記載の光源装置。
【請求項３】
前記部分透過部材は、前記拡散板による反射光を前記光源装置の光の出射方向に導くように、前記部分透過部材の中心を通り前記光源の光の出射方向に平行な光軸に対して傾斜して配置される、請求項１または２に記載の光源装置。
【請求項４】
前記光源および前記部分透過部材の透過領域は、前記部分透過部材の中心を通り前記光源の光の出射方向に平行な光軸上に配置され、
前記拡散板の拡散面は、前記光軸に対して垂直に設けられる、請求項１〜３のいずれか１項に記載の光源装置。
【請求項５】
前記光源および前記部分透過部材の透過領域は、前記部分透過部材の中心を通り前記光源の光の出射方向に平行な光軸からずれた位置に配置され、
前記拡散板の拡散面は、前記光源からの光が当該拡散面により反射された反射光のうち反射強度の強い光線が前記光軸上を進行するように、前記光軸に対して傾斜して配置される、請求項１〜３のいずれか１項に記載の光源装置。
【請求項６】
前記光源および前記部分透過部材の透過領域は、前記部分透過部材の中心を通り前記光源の光の出射方向に平行な光軸からずれた位置に配置され、
前記拡散板はランバシアン特性を有し、その拡散面は前記光軸に対して垂直に設けられる、請求項１〜３のいずれか１項に記載の光源装置。
【請求項７】
前記拡散板は駆動部により動かされる、請求項１〜６のいずれか１項に記載の光源装置。
【請求項８】
照射された光と異なる波長域の蛍光発光光を出射する蛍光体材料と、
前記蛍光体材料に照射する光を出射する第２光源と、
前記蛍光体材料と前記第２光源との間に配置され、前記蛍光体材料から発せられた蛍光発光光の波長域の光を前記部分透過部材による光の反射方向に反射し、他の波長域の光を通過させる合波器と、
をさらに備える、請求項１〜７のいずれか１項に記載の光源装置。
【請求項９】
光源部と、
入射された光を変調し合成する光変調合成系と、
前記光源部から出射された光を前記光変調合成系へ導く照明光学系と、
前記光変調合成系から出射された画像を投射する投射光学系と、
からなり、
前記光源部は、
光を出射する少なくとも１つの光源と、
前記光源から出射された光を拡散して反射する拡散板と、
前記光源と前記拡散板との間に設けられ、光を通過させる透過領域と光を反射する前記透過領域以外の反射領域とを有する部分透過部材と、
を備える、表示装置。
【手続補正２】
【補正対象書類名】明細書
【補正対象項目名】００１１
【補正方法】変更
【補正の内容】
【００１１】
【図１】本開示の第１の実施形態に係る光源部を備える表示装置の一構成例を示す概略構成図である。
【図２】同実施形態に係る光源部の一構成例を示す概略説明図である。
【図３】同実施形態に係る光源部の部分透過板の一例を示す平面図である。
【図４】同実施形態に係る光源部の部分透過板の他の一例を示す平面図である。
【図５】同実施形態に係る光源部の切欠きによる開口部が形成された部分透過板の一例を示す平面図である。
【図６】本開示の第２の実施形態に係る光源部の一構成例を示す概略説明図である。
【図７】拡散板による一般的な散乱反射を示す説明図である。
【図８】本開示の第３の実施形態に係る光源部の一構成例を示す概略説明図である。
【図９】ランバシアン特性を有する拡散板による散乱反射を示す説明図である。
【図１０】本開示の第４の実施形態に係る光源部の一構成例を示す概略説明図である。
【図１１】同実施形態に係る光源部の、２つの開口部を有する部分透過板の一例を示す平面図である。
【図１２】本開示の第５の実施形態に係る光源部の一構成例を示す概略説明図である。
【図１３】本開示の第６の実施形態に係る光源部の一構成例を示す概略説明図である。
【図１４】本開示の第７の実施形態に係る光源部の一構成例を示す概略説明図である。
【図１５】本開示の第８の実施形態に係る光源部の一構成例を示す概略説明図である。
【図１６】本開示の第９の実施形態に係る光源部の一構成例を示す概略説明図である。
【図１７】本開示の関連技術に係る透過型拡散板を用いた光源装置の一構成例を示す概略構成図である。
【図１８】本開示の関連技術に係る反射型拡散板を用いた光源装置の一構成例を示す概略構成図である。
【手続補正３】
【補正対象書類名】明細書
【補正対象項目名】００３１
【補正方法】変更
【補正の内容】
【００３１】
＜２．第２の実施形態＞
次に、図６および図７に基づいて、第２の実施形態に係る光源部２００について説明する。なお、図６は、本実施形態に係る光源部２００を示す概略構成図である。図７は、拡散板１４０による一般的な散乱反射を示す説明図である。
【手続補正４】
【補正対象書類名】明細書
【補正対象項目名】００３７
【補正方法】変更
【補正の内容】
【００３７】
＜３．第３の実施形態＞
次に、図８および図９に基づいて、第３の実施形態に係る光源部３００について説明する。なお、図８は、本実施形態に係る光源部３００を示す概略構成図である。図９は、ランバシアン特性を有する拡散板３４０による散乱反射を示す説明図である。
【手続補正５】
【補正対象書類名】明細書
【補正対象項目名】００３８
【補正方法】変更
【補正の内容】
【００３８】
本実施形態に係る光源部３００は、第２の実施形態と比較して、拡散板３４０にランバシアン特性を持たせた点で相違する。すなわち、光源部３００は、図８に示すように、第２の実施形態と同様、部分透過板１２０Ａでの反射光の損失を抑えるために、ＬＤ１１０および部分透過板１２０Ａの開口部１２２が光軸Ｃからずらした位置に配置されている。一方、拡散板３４０は、図２に示す第１の実施形態に係る拡散板１４０と同様、光の拡散面３４０ａが光軸Ｃに対して垂直に設けられている。したがって、開口部１２２を通過した入射光は、レンズ１３０を通過して、拡散板３４０の拡散面３４０ａに対して斜めに入射する。
【手続補正６】
【補正対象書類名】明細書
【補正対象項目名】００４２
【補正方法】変更
【補正の内容】
【００４２】
本実施形態に係る光源部４００は、第３の実施形態と比較して、発光部であるＬＤ１１０として２つのＬＤ１１２、１１４を備えている点で相違する。２つのＬＤ１１２、１１４を備える場合にも、第３の実施形態に係る光源部３００に用いたランバシアン特性を有する拡散板３４０を用いることで、拡散板３４０による反射光のうち反射強度の強い光線を容易に光軸Ｃに沿って進行させることができる。
【手続補正７】
【補正対象書類名】明細書
【補正対象項目名】００４５
【補正方法】変更
【補正の内容】
【００４５】
開口部４２２、４２４を通過した光は、それぞれレンズ１３０を介して拡散板３４０の拡散面３４０ａに対して斜めに入射する。拡散板３４０はランバシアン特性を有するので、拡散面３４０ａで拡散反射された各光の反射強度の強い光線が光軸Ｃに沿って進行する。そして、反射強度の強い光線は、レンズ１３０を通過して、部分透過板４２０の反射部分に入射し、光源部４００の光の出射方向へ導かれる。
【手続補正８】
【補正対象書類名】明細書
【補正対象項目名】００５０
【補正方法】変更
【補正の内容】
【００５０】
ＬＤ１１０から出射した光は、部分透過板１２０の第１面１２０ａ側から入射して、開口部１２２を通過してレンズ１３０により拡散板１４０の拡散面１４０ａに集光される。拡散面１４０ａにより反射された光は、再度レンズ１３０を通過して部分透過板１２０の第２面１２０ｂで反射され、光源部５００の光の出射方向へ導かれる。